(57)【要約】【課題】猫や犬等が使用している際に、収容されたトレーがトイレ本体から出難く、尿臭の漏れを抑えることができるペット用トイレを提供すること。【解決手段】本発明の一実施形態であるペット用トイレ１Ａは、上方開口部２１及び前方開口部２２を有する本体容器２と、本体容器２内に前方開口部２２を介して引き出し可能に収容される尿受け用のトレー３とを備える。トレー３は、本体容器２の前方開口部２２を形成する周壁における上方開口端部２２ｕに嵌合する嵌合部３２を有する。ペット用トイレ１Ａは、本体容器２内にトレー３を収容したときに、上方開口端部２２ｕとトレー３の嵌合部３２とが嵌合する。【選択図】図２
2014226106.tif 000002
【特許請求の範囲】
【請求項１】
上方に開口する上方開口部及び前方に開口する前方開口部を有する本体容器と、該本体容器内に該前方開口部を介して引き出し可能に収容される尿受け用のトレーとを備えるペット用トイレであって、
前記トレーは、前記本体容器の前記前方開口部を形成する周壁における上方開口端部に嵌合する嵌合部を有しており、
前記本体容器内に前記トレーを収容したときに、該前方開口部の前記上方開口端部と該トレーの前記嵌合部とが嵌合するペット用トイレ。
【請求項２】
前記トレーは、鉛直方向に隆起するとともに前後方向に延出するリブ部を有し、該リブ部は、その上端に前記本体容器の前記上方開口部に向かって上方に傾斜する上方傾斜部を有しており、
前記トレーの前記嵌合部は、前記リブ部の前記上方傾斜部を用いて形成される請求項１に記載のペット用トイレ。
【請求項３】
前記トレーは、前方側に上方に向かって凹んだ取っ手部を有し、
前記リブ部は、前記取っ手部に形成されている請求項２記載のペット用トイレ。
【請求項４】
前記トレーの前記取っ手部は、該トレーの前方側の前方側壁の上端から外方に水平方向に延びる水平部と該水平部の前端から下方に凸を描いて該水平部の位置よりも上方まで延びる延出部とから構成され、
前記トレーの前記リブ部は、前後方向において、前記取っ手部の前記水平部及び前記延出部に亘って形成されている請求項３記載のペット用トイレ。
【請求項５】
前記本体容器は、前記前方開口部の前記上方開口端部が直線状に形成されており、
前記トレーの前記リブ部は、上下方向において、前記水平部の位置と前記延出部の最上端の位置との間まで隆起し、
前記トレーの前記嵌合部は、前記リブ部の前記上方傾斜部と前記取っ手部の前記延出部における該リブ部より上方に延出する延出部分とから形成されており、
前記本体容器内に前記トレーを前記前方開口部を介して収容したときに、該前方開口部の直線状の前記上方開口端部が該トレーの前記上方傾斜部と前記延出部分との間に挟まれることにより嵌合する請求項４に記載のペット用トイレ。
【請求項６】
前記本体容器は、前記前方開口部の前記上方開口端部に後方に向かって曲がった鉤部を有し、
前記トレーの前記リブ部は、上下方向において、前記水平部の位置と前記延出部の最上端の位置との間まで隆起し、
前記トレーの前記嵌合部は、前記リブ部の前記上方傾斜部と前記取っ手部の前記延出部における該リブ部より上方に延出する延出部分とから形成されており、
前記本体容器内に前記トレーを前記前方開口部を介して収容したときに、該前方開口部の前記上方開口端部の前記鉤部が該トレーの前記上方傾斜部と前記延出部分との間に挟まれることにより嵌合する請求項４に記載のペット用トイレ。
【請求項７】
前記本体容器は、前記前方開口部の前記上方開口端部に後方に向かって延びるフランジ部と該フランジ部の下面から下方に突出する掛止部とを有し、
前記トレーの前記リブ部は、上下方向において、前記延出部の最上端の位置または前記水平部の位置と前記延出部の最上端の位置との間まで隆起し、該リブ部の上端に、該延出部から延出して下方に傾斜する下方傾斜部と、該下方傾斜部の後端から延出する前記上方傾斜部を有しており、
前記トレーの前記嵌合部は、前記リブ部の前記下方傾斜部と前記上方傾斜部とで形成されており、
前記本体容器内に前記トレーを前記前方開口部を介して収容したときに、該前方開口部の前記上方開口端部の前記掛止部が該トレーの前記下方傾斜部と前記上方傾斜部との間に挟まれることにより嵌合する請求項４に記載のペット用トイレ。
【請求項８】
前記本体容器は、前記前方開口部の前記上方開口端部に後方に向かって上方に傾斜して延びるフランジ部を有し、
前記トレーの前記リブ部は、上下方向において、前記延出部の最上端の位置または前記水平部の位置と前記延出部の最上端の位置との間まで隆起し、該リブ部の上端に、該延出部から延出する前記上方傾斜部を有しており、
前記トレーの前記嵌合部は、前記リブ部の前記上方傾斜部で形成されており、
前記本体容器内に前記トレーを前記前方開口部を介して収容したときに、該前方開口部の前記上方開口端部の前記フランジ部の下面が該トレーの前記上方傾斜部に接触することにより嵌合する請求項４に記載のペット用トイレ。
【発明の詳細な説明】
【技術分野】
【０００１】
本発明は、猫や犬等のペット用トイレに関する。
【背景技術】
【０００２】
猫や犬等のペットの排泄物を処理するためのペット用トイレとして、トイレ本体を簀の子等の尿透過性仕切層により上下に区画して、上層部分に例えば猫砂やトイレ砂等の便床を形成する排泄物処理材を収容し、下層部分のトレーに例えば吸水性樹脂、植物性繊維、パルプ等からからなる尿吸収マット等の尿吸収体を収容して使用するものが知られている（例えば、特許文献１〜２参照）。特許文献１，２に記載のペット用トイレは、上層部分に収容された排泄物処理材が、ペットが排泄する尿を素早く通過させ、通過した尿を簀の子の通液孔を介して下層部分に落下させ、落下した尿を下層部分のトレーに収容された尿吸収体に積極的に吸収させることができ、便利である。
【先行技術文献】
【特許文献】
【０００３】
【特許文献１】特開平１０−２２９７６８号公報
【特許文献２】特開２０１３−１７４４６号公報
【発明の概要】
【発明が解決しようとする課題】
【０００４】
特許文献１，２に記載のペット用トイレは、トレーの下面に設けられた掛止部によって、収容されたトレーがトイレ本体の内部に掛止されるようになっている。具体的には、特許文献１，２に記載のペット用トイレは、トレーの下面から隆起した掛止部と、トイレ本体内部の底面から隆起した掛止部とによって、収容されたトレーがトイレ本体の内部に掛止されるようになっている。
【０００５】
しかし、特許文献１，２に記載のペット用トイレには、トレーを収容するトイレ本体の開口部近傍に、収容されたトレーがトイレ本体から出ないようにする掛止手段が設けられていないので、猫や犬等がペット用トイレを使用している際に、トレーの掛止部とトイレ本体内部の掛止部との間の離間分、収容されたトレーがトイレ本体から出てくる場合があった。このようにトレーとトイレ本体との間に少しでも隙間が生じると、トレーに配された尿を吸収した尿吸収体から尿臭が漏れてしまう。
【０００６】
従って、本発明は、上記課題を解消し得るペット用トイレを提供することに関する。
【課題を解決するための手段】
【０００７】
本発明は、上方に開口する上方開口部及び前方に開口する前方開口部を有する本体容器と、該本体容器内に該前方開口部を介して引き出し可能に収容される尿受け用のトレーとを備えるペット用トイレであって、前記トレーは、前記本体容器の前記前方開口部を形成する周壁における上方開口端部に嵌合する嵌合部を有しており、前記本体容器内に前記トレーを収容したときに、該前方開口部の前記上方開口端部と該トレーの前記嵌合部とが嵌合するペット用トイレを提供するものである。
【発明の効果】
【０００８】
本発明のペット用トイレによれば、猫や犬等がペット用トイレを使用している際に、収容されたトレーがトイレ本体から出難く、尿臭の漏れを抑えることができる。
【図面の簡単な説明】
【０００９】
【図１】図１は、本発明の第１実施形態のペット用トイレを示す斜視図である。
【図２】図２は、図１に示すペット用トイレの分解斜視図である。
【図３】図３（ａ）は、図１に示すペット用トイレを構成する本体容器を上方開口部側から視た一部拡大斜視図であり、図３（ｂ）は、本体容器の前方開口部を下方側から視た一部拡大斜視図である。
【図４】図４は、図１に示すペット用トイレを構成するトレーを上方側から視た一部拡大斜視図である。
【図５】図５（ａ）は、図１のＩ−Ｉ線断面図であり、図５（ｂ）は、尿受け用のトレー及び便床を形成する粒状物を配した内容器を本体容器内に収容してペット用トイレを形成する手順を説明するための断面図であり、図５（ｃ）は、ペット用トイレの使用状態を説明するための断面図である。
【図６】図６（ａ）は、本発明の第２実施形態のペット用トイレの一部断面図であり（図５（ａ）相当図）、図６（ｂ）は、尿受け用のトレー及び便床を形成する粒状物を配した内容器を本体容器内に収容して第２実施形態のペット用トイレを形成する手順を説明するための断面図であり（図５（ｂ）相当図）、図６（ｃ）は、第２実施形態のペット用トイレの使用状態を説明するための断面図である（図５（ｃ）相当図）。
【図７】図７（ａ）は、本発明の第３実施形態のペット用トイレの一部断面図であり（図５（ａ）相当図）、図７（ｂ）は、尿受け用のトレー及び便床を形成する粒状物を配した内容器を本体容器内に収容して第３実施形態のペット用トイレを形成する手順を説明するための断面図であり（図５（ｂ）相当図）、図７（ｃ）は、第３実施形態のペット用トイレの使用状態を説明するための断面図である（図５（ｃ）相当図）。
【図８】図８（ａ）は、本発明の第４実施形態のペット用トイレの一部断面図であり（図５（ａ）相当図）、図８（ｂ）は、尿受け用のトレー及び便床を形成する粒状物を配した内容器を本体容器内に収容して第４実施形態のペット用トイレを形成する手順を説明するための断面図であり（図５（ｂ）相当図）、図８（ｃ）は、第４実施形態のペット用トイレの使用状態を説明するための断面図である（図５（ｃ）相当図）。
【発明を実施するための形態】
【００１０】
以下、本発明のペット用トイレについて、その好ましい第１実施形態に基づき、図１〜図５を参照しながら説明する。
第１実施形態のペット用トイレ１Ａ（以下、単に「ペット用トイレ１Ａ」ともいう。）は、図１，図２に示すように、上方に開口する上方開口部２１及び前方に開口する前方開口部２２を有する本体容器２と、本体容器２内に前方開口部２２を介して引き出し可能に収容される尿受け用のトレー３とを備えている。第１実施形態では、ペット用トイレ１Ａは、本体容器２と、本体容器２内に前方開口部２２を介して収容される尿受け用のトレー３と、本体容器２内に上方開口部２１を介して着脱自在に装着される内容器４とを備えている。ペット用トイレ１Ａは、例えば、便床を形成する粒状物（不図示）を収容した内容器４を、本体容器２の上方開口部２１に載置した状態において、前方開口部２２を介して、後述する内容器４の底壁４３と後述する本体容器２の底壁２３との間に、扁平な尿吸収体(不図示）を配したトレー３を収容して使用される。
【００１１】
以下の説明においては、図１，図２に示すように、ペット用トイレ１Ａの前後方向をＹ方向、ペット用トイレ１Ａを構成するトレー３側から正面視した際の前後方向に直交する水平方向である幅方向をＸ方向、前後方向（Ｙ方向）及び幅方向（Ｘ方向）からなる面方向に直交する方向である上下方向をＺ方向として説明する。尚、ペット用トイレ１ＡのＹ方向、Ｘ方向及びＺ方向は、それぞれ、本体容器２、トレー３又は内容器４のＹ方向、Ｘ方向及びＺ方向と同じ方向である。また、図１，図２に示すように、Ｙ方向の内の後述するトレー３の取っ手部３１側を前方側、Ｚ方向の内の本体容器２に装着された内容器４側を上方側として説明する。
【００１２】
本体容器２は、図２に示すように、該本体容器２の底面を形成する平坦な底壁２３と、該底壁２３の全周縁からＺ方向に立設し該本体容器２の側面を形成する周壁２４とを有するトレー状のものである。本体容器２は、平面視において、底壁２３がＹ方向に長い略矩形状に形成されている。ペット用トイレ１Ａでは、本体容器２の周壁２４が、Ｙ方向前方側の前方周壁２４ａ、Ｙ方向後方側の後方周壁２４ｂ、及びＹ方向に沿う両側の側方周壁２４ｃ，２４ｃからなる。ペット用トイレ１Ａでは、前方周壁２４ａ及び後方周壁２４ｂは、Ｚ方向の上方に向かって互いに離間するように傾斜しており、両側方周壁２４ｃ，２４ｃも、Ｚ方向の上方に向かって互いに離間するように傾斜している。Ｚ方向の鉛直方向に対する前方周壁２４ａの傾斜角度θ１（図５（ｂ）参照）は１°以上３０°以下であることが好ましく、２°以上１０°以下であることが更に好ましい。
【００１３】
尚、ペット用トイレ１Ａでは、図３（ａ）に示すように、本体容器２の底壁２３のＺ方向上面に、トレー３側に隆起する本体ストッパー部２５が設けられている。本体ストッパー部２５は、底壁２３の４隅に、Ｙ方向に沿う両側部それぞれからＸ方向後方に向かって長い形状に形成されている。即ち、ペット用トイレ１Ａでは、４個の本体ストッパー部２５が設けられている。
【００１４】
内容器４を着脱自在に装着する上方開口部２１は、ペット用トイレ１Ａでは、図２に示すように、前方周壁２４ａのＺ方向上端部、後方周壁２４ｂのＺ方向上端部及び両側の側方周壁２４ｃ，２４ｃのＺ方向上端部が滑らかに連結して形成されており、平面視して、Ｙ方向に長い略矩形状に形成されている。上方開口部２１の輪郭は、底壁２３の輪郭よりも大きく形成されている。
【００１５】
トレー３を引き出し可能に収容する前方開口部２２は、ペット用トイレ１Ａでは、図３（ａ），図３（ｂ）に示すように、前方周壁２４ａのＺ方向下方側に形成され、且つ、前方周壁２４ａから両側の側方周壁２４ｃ，２４ｃのＹ方向前方側の一部に亘って形成されている。前方開口部２２は、前方周壁２４ａ側から正面視して、Ｘ方向に長い略矩形状に形成されている。具体的には、前方開口部２２を前方周壁２４ａ側から正面視した形状及び大きさは、後述するトレー３を前方周壁３４ａ側から正面視した形状及び大きさと略同じに形成されており、前方開口部２２からトレー３を引き出したり挿入したりすることができるようになっている。
【００１６】
ペット用トイレ１Ａの本体容器２は、図３（ａ），図３（ｂ）に示すように、前方開口部２２の上方開口端部２２ｕが直線状に形成されている。具体的には、本体容器２を図５（ａ）に示すように断面視して、前方開口部２２の上方開口端部２２ｕは、厚みが一定の前方周壁２４ａに形成されており、上方開口端部２２ｕの端における前方周壁２４ａの厚みと、上方開口端部２２ｕよりもＺ方向上方に位置する部分における前方周壁２４ａの厚みとが同じであり、直線状に形成されている。直線状の上方開口端部２２ｕの厚みは、１ｍｍ以上３ｍｍ以下であることが好ましい。
【００１７】
このように形成された本体容器２は、底壁２３及び周壁２４によって囲まれた内側が、上方開口部２１を介して内容器４を載置する収容部となっており、更に前方開口部２２を介してトレー３を引き出し可能に収容する収容部となっている。
【００１８】
本体容器２内に上方開口部２１を介して載置される内容器４は、図１，図２に示すように、内容器４の底面を形成する平坦な底壁４３と、該底壁４３の全周縁からＺ方向に立設し該内容器４の側面を形成する周壁４４とを有するトレー状のものである。内容器４は、平面視において、底壁４３がＹ方向に長い略矩形状に形成されている。底壁４３及び周壁４４によって囲まれた内側は、粒状物（不図示）の収容部となっている。
【００１９】
内容器４の底壁４３は、図１，図２に示すように、液透過構造を有する透過領域４１を有している。透過領域４１には、板状の底壁４３をＺ方向に貫通する、平面視して略矩形形状の貫通孔４２が多数配されている。多数の貫通孔４２は、底壁４３のＹ方向及びＸ方向それぞれに所定間隔を置いて配されている。貫通孔４２は、内容器４に配された液を、Ｚ方向下方に配される本体容器２内のトレー３上に通過させるための通液孔として機能する。
【００２０】
本体容器２及び内容器４の大きさは特に制限されない。本体容器２は、例えばＹ方向の長さが３００ｍｍ〜６００ｍｍ程度、Ｘ方向の長さが２００ｍｍ〜４００ｍｍ程度のものであり、その周壁２４の高さが７０ｍｍ〜２００ｍｍ程度のものである。
また、内容器４は、例えばＹ方向の長さが２９５ｍｍ〜５９５ｍｍ程度、Ｘ方向の長さが１９５ｍｍ〜３９５ｍｍ程度のものであり、その周壁４４の高さが３０ｍｍ〜１７０ｍｍ程度のものである。尚、ここに示した本体容器２及び内容器４の各部の寸法は、内寸法（容器２，４の内側の寸法）である。
【００２１】
本体容器２内に前方開口部２２を介して収容されるトレー３は、図２，図４に示すように、本体容器２の前方開口部２２を形成する周壁２４（前方周壁２４ａ）における上方開口端部２２ｕに嵌合する嵌合部３２を有している。また、ペット用トイレ１Ａでは、トレー３は、Ｙ方向前方側にＺ方向上方に向かって凹んだ取っ手部３１を有している。ペット用トイレ１Ａでは、図２，図４に示すように、取っ手部３１のＺ方向上方側に嵌合部３２が配されている。具体的には、ペット用トイレ１Ａでは、トレー３は、該トレー３の底面を形成する平坦な底壁３３と、該底壁３３の全周縁からＺ方向に立設し該トレー３の側面を形成する周壁３４とを有するトレー状のものである。トレー３は、平面視において、底壁３３がＹ方向に長い略矩形状に形成されている。ペット用トイレ１Ａでは、トレー３の周壁３４が、Ｙ方向前方側の前方周壁３４ａ、Ｙ方向後方側の後方周壁３４ｂ、及びＹ方向に沿う両側の側方周壁３４ｃ，３４ｃからなる。ペット用トイレ１Ａでは、トレー３の底壁３３は、本体容器２の底壁２３と略同じ面積を有している。トレー３の周壁３４（前方周壁３４ａ，後方周壁３４ｂ，両側方周壁３４ｃ）は、その上端部が、内容器４の底壁４３に接触しないように、その高さが調整されている。尚、前方周壁３４ａ及び後方周壁３４ｂは、Ｚ方向の上方に向かって互いに離間するように傾斜している。
【００２２】
ペット用トイレ１Ａでは、図４に示すように、トレー３の底壁３３のＺ方向下面に、本体容器２の底壁２３側に隆起するトレーストッパー部３５が設けられている。トレーストッパー部３５は、底壁３３の４隅に、Ｙ方向に沿う両側部それぞれからＸ方向後方に向かって長い形状に形成されている。Ｙ方向前方側の２個のトレーストッパー部３５は、Ｙ方向前方側の２個の本体ストッパー部２５よりも、Ｙ方向後方に、２ｍｍ〜３ｍｍ程度離間して配されている。本体ストッパー部２５とトレーストッパー部３５とは、それらの配置関係により、本体容器２内に収容されたトレー３が、意に反して本体容器２内から出てきてしまうのを防止することができる。
【００２３】
ペット用トイレ１Ａでは、トレー３は、図４に示すように、取っ手部３１にＺ方向の鉛直方向に隆起するとともに前後方向（Ｙ方向）に延出するリブ部３６を有し、該リブ部３６は、図５（ａ）に示すように、そのＺ方向上端に本体容器２の上方開口部２１に向かって上方（Ｚ方向）に傾斜する上方傾斜部３６ｕを有している。このように、リブ部３６は、取っ手部３１のＺ方向上方に形成されている。具体的に説明すると、トレー３の取っ手部３１は、トレー３のＹ方向前方側のＸ方向中央部分に形成されている。前方周壁３４ａは、取っ手部３１が配されるＸ方向中央部分３４ａ１が、該中央部分３４ａ１のＸ方向両外方部分３４ａ２よりも、水平方向に対する傾斜角度が緩やかになっている。そして、トレー３の取っ手部３１は、図５（ａ）に示すように、トレー３のＹ方向前方側の前方側壁３４ａの上端からＹ方向外方に水平方向に延びる水平部３１ｈと水平部３１ｈのＹ方向前端からＺ方向下方に凸を描いて水平部３１ｈの位置よりも上方まで延びる延出部３１ｅとから構成されている。即ち、取っ手部３１を介してペット用トイレ１Ａの本体容器２内からトレー３を引き出す際には、使用者の指を、延出部３１ｅと水平部３１ｈとからなる上方に凹んだ部分に入れ、延出部３１ｅにおけるＹ方向後方側部分に引っ掛けることにより、本体容器２内からトレー３を引き出すことができる。
【００２４】
トレー３における取っ手部３１のＸ方向両外方部分の外周面は、図１に示すように、トレー３を本体容器２内に収容した状態において、本体容器２の外周面から突出する部分がないように、本体容器２の外周面に沿うように形成されている。
【００２５】
トレー３のリブ部３６は、１個〜４個程度配されていることが好ましく、ペット用トイレ１Ａでは、図４に示すように、２個のリブ部３６が幅方向（Ｘ方向）に並んで配されている。トレー３の各リブ部３６は、前後方向（Ｙ方向）においては、取っ手部３１の水平部３１ｈ及び延出部３１ｅに亘って形成され、上下方向（Ｚ方向）においては、水平部３１ｈの位置と延出部３１ｅの最上端３１ｅ１の位置との間まで隆起している。即ち、各リブ３６の上端には、延出部３１ｅにおける水平部３１ｈの位置と最上端３１ｅ１との間の位置から延出して本体容器２の上方開口部２１に向かってＺ方向上方に傾斜する上方傾斜部３６ｕが形成されており、上方傾斜部３６ｕのＹ方向後端（上方傾斜部３６ｕのＹ方向後方側の端）から延出する水平部３１ｈの上面上にＺ方向に下方に傾斜する下方傾斜部３６ｄが形成されている。
【００２６】
ペット用トイレ１Ａのトレー３の嵌合部３２は、リブ部３６の上方傾斜部３６ｕを用いて形成されている。具体的には、図５（ａ），（ｂ）に示すように、トレー３の嵌合部３２は、各リブ部３６の上方傾斜部３６ｕと取っ手部３１の延出部３１ｅにおけるリブ部３６よりＺ方向上方に延出する延出部分３１ｅ２とから形成されている。上方傾斜部３６ｕと取っ手部３１の延出部３１ｅの延出部分３１ｅ２とから形成される嵌合部３２は、図５（ａ），（ｂ）に示すように断面視して、所謂Ｌ字状に形成されている。Ｚ方向の鉛直方向に対する取っ手部３１の延出部３１ｅにおけるＹ方向最前面の傾斜角度θ２（図５（ｂ）参照）は１°以上３０°以下であることが好ましく、２°以上１０°以下であることが更に好ましい。また、Ｙ方向の水平方向に対する上方傾斜部３６ｕの傾斜角度θ３（図５（ｂ）参照）は１°以上６０°以下であることが好ましく、１０°以上４５°以下であることが更に好ましい。
【００２７】
本発明のペット用トイレでは、本体容器２内にトレー３を前方開口部２２を介して収容したときに、前方開口部２２の上方開口端部２２ｕとトレー３の嵌合部３２とが嵌合して、トレー３が本体容器２内から出ないように形成されている。具体的に、ペット用トイレ１Ａでは、図５（ａ）に示すように、本体容器２内にトレー３を前方開口部２２を介して収容したときに、前方開口部２２の直線状の上方開口端部２２ｕがトレー３の上方傾斜部３６ｕと延出部分３１ｅ２との間に挟まれることにより嵌合して、トレー３が本体容器２内から出ないように形成されている。
【００２８】
ペット用トイレ１Ａの構成部材（本体容器２、トレー３、内容器４等）の材質は、耐食性を有するものであれば特に制限はない。軽量で取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１の構成部材は、表面に撥水加工や抗菌加工が施されたものを用いることがより好ましい。
【００２９】
内容器４に収容される便床を形成する粒状物（不図示）としては、当該技術分野において猫砂やトイレ砂等として用いられている粒状物を特に制限無く用いることができる。粒状物としては、例えば、植物由来の素材の粉砕物、合成樹脂、粘土鉱物等の成分の１種以上を含んで構成され、成形された成形物が挙げられる。粒状物の形状は、例えば、円筒形状、球状、立方体、直方体等とすることができる。
【００３０】
トレー３の底壁３３の上面上に配される扁平な尿吸収体（不図示）としては、当該技術分野において尿を吸収保持し得るものを特に制限無く用いることができる。尿吸収体としては、例えば、パルプ繊維、粘土鉱物系材料、高分子吸収材料等の成分の１種以上を含む原料を板状（シート状）に成形したものが挙げられる。板状の尿吸収体の平面視における形状及びその大きさは、トレー３の底壁３３の平面視における形状（矩形形状）及びその大きさと略同じである。板状の尿吸収体の厚みは、３ｍｍ〜２０ｍｍ程度のものである。
【００３１】
上述した本発明の第１実施形態のペット用トイレ１Ａの使用方法及び使用した際の作用効果について説明する。
ペット用トイレ１Ａは、例えば、便床を形成する粒状物（不図示）を収容した内容器４を、本体容器２の上方開口部２１に載置する。そして、扁平な尿吸収体(不図示）を底壁３３の上面上に配したトレー３を、図５（ｂ）に示すように、前方開口部２２から本体容器２内に挿入する。トレー３は、図５（ａ）に示すように、Ｙ方向前方側の２個のトレーストッパー部３５が、本体容器２の底壁２３に配されたＹ方向前方側の２個の本体ストッパー部２５を越えてＹ方向後方に至るまで挿入される。
【００３２】
上述のようにトレー３が本体容器２内に挿入されると、前方開口部２２の上方開口端部２２ｕとトレー３の嵌合部３２とが嵌合する。具体的に、ペット用トイレ１Ａでは、図５（ａ）に示すように、本体容器２に形成された前方開口部２２の直線状の上方開口端部２２ｕが、トレー３に設けられたリブ部３６の上方傾斜部３６ｕと延出部分３１ｅ２との間に挟まれることにより嵌合する。このようにしてトレー３が本体容器２内に収納されて、ペット用トイレ１Ａは使用される。
【００３３】
トレー３が本体容器２内に収納されたペット用トイレ１Ａを、図５（ｃ）に示すように、例えば猫が使用したとしても、本体容器２に形成された前方開口部２２の上方開口端部２２ｕとトレー３の嵌合部３２とが嵌合しているので、収容されたトレー３が本体容器２内から出難く、尿臭の漏れを抑えることができる。特に、ペット用トイレ１Ａでは、本体容器２に形成された前方開口部２２の直線状の上方開口端部２２ｕが、トレー３に設けられたリブ部３６の上方傾斜部３６ｕと延出部分３１ｅ２との間に挟まれることにより嵌合しているので、収容されたトレー３が本体容器２内から更に出難く、尿臭の漏れを更に抑えることができる。
【００３４】
また、トレー３の嵌合部３２が、トレー３の取っ手部３１を構成する水平部３１ｈ及び延出部３１ｅ上に配されたリブ部３６の上方傾斜部３６ｕを用いて形成されているので、取っ手部３１を介してペット用トイレ１Ａの本体容器２内からトレー３を引き出す際には、使用者の指の力がリブ部３６に伝達され易く、上方傾斜部３６ｕによる嵌合を外し易いので、本体容器２内からトレー３を容易に引き出すことができる。
【００３５】
更に、トレー３を本体容器２内に収納した状態のペット用トイレ１Ａでは、図５（ａ）に示すように、本体容器２の底壁２３の上面とトレー３の底壁３３の下面との間に、本体容器２の本体ストッパー部２５の隆起分の高さの空間が形成されている。また、本体容器２、トレー３の寸法誤差を吸収したり、ペット飼育者がトレー３を挿入したときに、はっきりと嵌合された感触を与えるために、本体ストッパー部２５とトレーストッパー部３５の間に一定のクリアランスを形成している。その為、猫の出入り等によって振動を受けるとクリアランス分トレー３が開いてしまう虞がある。一方、クリアランスを小さくすると、例えば猫の使用中に、本体容器２に形成された前方開口部２２上に猫の体重が掛かかり、トレー３が傾いた場合に本体ストッパー部２５とトレーストッパー部３５との嵌合が外れてしまい、トレー３が開いてしまう虞がある。本発明では、図５（ｃ）に示すように、本体容器２に形成された前方開口部２２の直線状の上方開口端部２２ｕが、トレー３に設けられたリブ部３６の上方傾斜部３６ｕと延出部分３１ｅ２との間に挟まれて嵌合しているので、嵌合が外れ難く、本体容器２の前方開口部２２の外周縁とトレー３の外周縁との間に隙間が生じ難い。従って、尿臭の漏れを更に抑えることができる。
【００３６】
次に、本発明の第２〜第４実施形態のペット用トイレについて説明する。第２〜第４実施形態のペット用トイレ１Ｂ〜１Ｄは、本体容器２に形成された前方開口部２２の上方開口端部２２ｕの形状、又は該上方開口端部２２ｕに嵌合するトレー３の嵌合部３２の形状が第１実施形態のペット用トイレ１Ａと異なる。第２〜第４実施形態のペット用トイレ１Ｂ〜１Ｄについては、第１実施形態のペット用トイレ１Ａと異なる点について主として説明し、同様の点については同一の符号を付して説明を省略する。特に言及しない点については、第１実施形態のペット用トイレ１Ａに関する説明が適宜適用される。
【００３７】
第２実施形態のペット用トイレ１Ｂの本体容器２は、本体容器２を図６（ａ）に示すように断面視して、前方開口部２２の上方開口端部２２ｕにＹ方向後方に向かって曲がった鉤部２６を有している。即ち、鉤部２６は、前方周壁２４ａにおける前方開口部２２の上方開口端部２２ｕに対応する部分がＹ方向後方に向かって鉤状に曲がって形成されている。
【００３８】
尚、第２実施形態のペット用トイレ１Ｂのトレー３の嵌合部３２は、ペット用トイレ１Ａと同様に、リブ部３６の上方傾斜部３６ｕと取っ手部３１の延出部３１ｅにおけるリブ部３６よりＺ方向上方に延出する延出部分３１ｅ２とから形成されている。上方傾斜部３６ｕと取っ手部３１の延出部３１ｅの延出部分３１ｅ２とから形成される嵌合部３２は、図５（ｂ）に示すように断面視して、所謂Ｌ字状に形成されている。
【００３９】
ペット用トイレ１Ｂでは、図５（ａ），（ｃ）に示すように、本体容器２内にトレー３を前方開口部２２を介して収容したときに、前方開口部２２の直線状の上方開口端部２２ｕの鉤部２６がトレー３の上方傾斜部３６ｕと延出部分３１ｅ２との間に挟まれることにより嵌合して、トレー３が本体容器２内から出ないように形成されている。
【００４０】
上述した第２実施形態のペット用トイレ１Ｂを使用した際の作用効果について説明する。
ペット用トイレ１Ｂの効果については、ペット用トイレ１Ａの効果と異なる点について説明する。特に説明しない点は、ペット用トイレ１Ａの効果と同様であり、ペット用トイレ１Ａの効果の説明が適宜適用される。
ペット用トイレ１Ｂは、トレー３を挿入した際に、図５（ａ），（ｃ）に示すように、本体容器２の前方周壁２４ａの外側表面と、トレー３の延出部分３１ｅ２の外側表面との段差をなくすことができるので、美観に優れている。
【００４１】
第３実施形態のペット用トイレ１Ｃの本体容器２は、本体容器２を図７（ａ）に示すように断面視して、前方開口部２２の上方開口端部２２ｕにＹ方向後方に向かって延びるフランジ部２７とフランジ部２７の下面から下方に突出する掛止部２８とを有している。フランジ部２７は、前方周壁２４ａにおける前方開口部２２の上方開口端部２２ｕに対応する部分からＹ方向後方に２ｍｍ〜３０ｍｍ程度延出して形成されている。そして、掛止部２８は、延出して形成されたフランジ部２７の下面における、トレー３のリブ部３６に対応する位置を含むように、Ｘ方向に長く形成されている。即ち、ペット用トイレ１Ｃにおいては、トレー３のリブ部３６を２個有しているので、２個の掛止部２８を有している。尚、２個の掛止部２８の換わりに、２個のリブ部３６に亘るように、Ｘ方向に延在する長い１個の係止部２８を設けるようにしてもよい。前方周壁２４ａとフランジ部２７とのなす角度θ４（図７（ｂ）参照）は９１°以上１２０°以下であることが好ましく、９２°以上１００°以下であることが更に好ましい。
【００４２】
第３実施形態のペット用トイレ１Ｃのトレー３は、ペット用トイレ１Ａと同様に、２個のリブ部３６を有している。トレー３の各リブ部３６は、前後方向（Ｙ方向）においては、取っ手部３１の水平部３１ｈ及び延出部３１ｅに亘って形成され、上下方向（Ｚ方向）においては、延出部３１ｅの最上端３１ｅ１の位置まで隆起している。そして、各リブ３６は、その上端に、延出部３１ｅから延出してＺ方向下方に傾斜する下方傾斜部３６ｄと、下方傾斜部３６ｄのＹ方向後端から延出する本体容器２の上方開口部２１に向かってＺ方向上方に傾斜する上方傾斜部３６ｕを有している。即ち、各リブ３６の上端には、延出部３１ｅの最上端３１ｅ１からＺ方向下方に傾斜する第１下方傾斜部３６ｄ１が形成され、第１下方傾斜部３６ｄ１のＹ方向後端からＺ方向上方に傾斜する上方傾斜部３６ｕが形成されており、上方傾斜部３６ｕのＹ方向後端から水平部３１ｈの上面上にＺ方向に下方に傾斜する第２下方傾斜部３６ｄ２が形成されている。
【００４３】
ペット用トイレ１Ｃのトレー３の嵌合部３２は、図７（ｂ）に示すように、各リブ部３６の第１下方傾斜部３６ｄ１と上方傾斜部３６ｕとで形成されている。第１下方傾斜部３６ｄ１と上方傾斜部３６ｕとから形成される嵌合部３２は、図７（ｂ）に示すように断面視して、所謂Ｍ字状に形成されている。Ｙ方向の水平方向に対する第１下方傾斜部３６ｄ１の傾斜角度θ５（図７（ｂ）参照）は１°以上６０°以下であることが好ましく、１０°以上４５°以下であることが更に好ましい。また、Ｙ方向の水平方向に対する上方傾斜部３６ｕの傾斜角度θ６（図７（ｂ）参照）は１°以上６０°以下であることが好ましく、１０°以上４５°以下であることが更に好ましい。
【００４４】
ペット用トイレ１Ｃでは、図７（ａ），（ｃ）に示すように、本体容器２内にトレー３を前方開口部２２を介して収容したときに、前方開口部２２の直線状の上方開口端部２２ｕの掛止部２８がトレー３の第１下方傾斜部３６ｄ１と上方傾斜部３６ｕとの間に挟まれることにより嵌合して、トレー３が本体容器２内から出ないように形成されている。
【００４５】
上述した第３実施形態のペット用トイレ１Ｃを使用した際の作用効果について説明する。
ペット用トイレ１Ｃの効果については、ペット用トイレ１Ａの効果と異なる点について説明する。特に説明しない点は、ペット用トイレ１Ａの効果と同様であり、ペット用トイレ１Ａの効果の説明が適宜適用される。
ペット用トイレ１Ｃは、図７に示すように、トレー３を挿入した際に、本体容器２の前方周壁２４ａの外側表面と、トレー３の延出部分３１ｅ２の外側表面との段差をなくすことができるので、美観に優れている。また、ペット用トイレ１Ｃは、フランジ部２７を設けているので、容器本体２の周壁２４の強度を向上させることができる。
【００４６】
尚、上述した第３実施形態のペット用トイレ１Ｃは、各リブ部３６が上下方向（Ｚ方向）において、延出部３１ｅの最上端３１ｅ１の位置まで隆起していたが、水平部３１ｈの位置と延出部３１ｅの最上端の位置との間まで隆起している構成でもよい。
【００４７】
第４実施形態のペット用トイレ１Ｄの本体容器２は、本体容器２を図８（ａ）に示すように断面視して、前方開口部２２の上方開口端部２２ｕにＹ方向後方に向かってＺ方向上方に傾斜して延びるフランジ部２７を有している。フランジ部２７は、前方周壁２４ａにおける前方開口部２２の上方開口端部２２ｕに対応する部分からＹ方向後方に２ｍｍ〜３０ｍｍ程度延出して形成されている。Ｙ方向の水平方向に対するフランジ部２７の傾斜角度θ７（図８（ｂ）参照）は１°以上４５°以下であることが好ましく、１０°以上２０°以下であることが更に好ましい。
【００４８】
第４実施形態のペット用トイレ１Ｄのトレー３は、ペット用トイレ１Ａと同様に、２個のリブ部３６を有している。トレー３の各リブ部３６は、前後方向（Ｙ方向）においては、取っ手部３１の水平部３１ｈ及び延出部３１ｅに亘って形成され、上下方向（Ｚ方向）においては、延出部３１ｅの最上端３１ｅ１の位置まで隆起している。そして、各リブ３６は、その上端に、延出部３１ｅから延出して本体容器２の上方開口部２１に向かってＺ方向上方に傾斜する上方傾斜部３６ｕを有しており、上方傾斜部３６ｕ後端から延出する水平部３１ｈの上面上にＺ方向下方に傾斜する下方傾斜部３６ｄを有している。即ち、各リブ３６の上端には、延出部３１ｅの最上端３１ｅ１からＺ方向上方に傾斜する上方傾斜部３６ｕが形成され、上方傾斜部３６ｕのＹ方向後端からＺ方向下方に傾斜する下方傾斜部３６ｄが形成されている。
【００４９】
ペット用トイレ１Ｄのトレー３の嵌合部３２は、図８（ｂ）に示すように、各リブ部３６の上方傾斜部３６ｕのみで形成されている。Ｙ方向の水平方向に対する上方傾斜部３６ｕの傾斜角度θ８（図８（ｂ）参照）は１°以上４５°以下であることが好ましく、１０°以上２０°以下であることが更に好ましい。
【００５０】
ペット用トイレ１Ｄでは、図８（ａ），（ｃ）に示すように、本体容器２内にトレー３を前方開口部２２を介して収容したときに、前方開口部２２の上方開口端部２２ｕのフランジ部２７の下面がトレー３の上方傾斜部３６ｕに接触することにより嵌合して、トレー３が本体容器２内から出ないように形成されている。
【００５１】
上述した第４実施形態のペット用トイレ１Ｄを使用した際の作用効果について説明する。
ペット用トイレ１Ｄの効果については、ペット用トイレ１Ａの効果と異なる点について説明する。特に説明しない点は、ペット用トイレ１Ａの効果と同様であり、ペット用トイレ１Ａの効果の説明が適宜適用される。
ペット用トイレ１Ｄは、図８に示すように、トレー３を挿入した際に、本体容器２の前方周壁２４ａの外側表面と、トレー３の延出部分３１ｅ２の外側表面との段差をなくすことができるので、美観に優れている。また、ペット用トイレ１Ｃは、フランジ部２７を設けているので、容器本体２の周壁２４の強度を向上させることができる。
【００５２】
尚、上述した第４実施形態のペット用トイレ１Ｄは、各リブ部３６が上下方向（Ｚ方向）において、延出部３１ｅの最上端３１ｅ１の位置まで隆起していたが、水平部３１ｈの位置と延出部３１ｅの最上端の位置との間まで隆起している構成でもよい。
【００５３】
本発明のペット用トイレは、上述の第１〜第４実施形態のペット用トイレ１Ａ〜１Ｄに何ら制限されるものではなく、適宜変更可能である。また、上述の第１〜第４実施形態のペット用トイレ１Ａ〜１Ｄにおける各構成要件は、本発明の趣旨を損なわない範囲で、適宜組み合わせて実施できる。
【００５４】
例えば、上述の第１〜第４実施形態のペット用トイレ１Ａ〜１Ｄにおいては、図５（ａ），図６（ａ），図７（ａ），図８（ａ）に示すように、トレー３は、取っ手部３１を有しているが、有していなくてもよい。また、トレー３のリブ部３６は、取っ手部３１の上方に形成されているが、取っ手部３１に形成されていなくてもよい。またトレー３の嵌合部３２は、リブ部３６の上方傾斜部３６ｕを用いて形成されているが、トレー３に形成されていればよい。
【００５５】
また、上述の第１〜第４実施形態のペット用トイレ１Ａ〜１Ｄにおいては、図５（ａ），図６（ａ），図７（ａ），図８（ａ）に示すように、本体容器２の底壁２３に本体ストッパー部２５が設けられ、トレー３の底壁３３にトレーストッパー部３５が設けられているが、それらのストッパー２５，３５は設けられていなくてもよい。
【００５６】
上述した実施形態に関し、さらに以下のペット用トイレを開示する。
＜１＞  上方に開口する上方開口部及び前方に開口する前方開口部を有する本体容器と、該本体容器内に該前方開口部を介して引き出し可能に収容される尿受け用のトレーとを備えるペット用トイレであって、
前記トレーは、前記本体容器の前記前方開口部を形成する周壁における上方開口端部に嵌合する嵌合部を有しており、
前記本体容器内に前記トレーを収容したときに、該前方開口部の前記上方開口端部と該トレーの前記嵌合部とが嵌合するペット用トイレ。
＜２＞  前記トレーは、鉛直方向に隆起するとともに前後方向に延出するリブ部を有し、該リブ部は、その上端に前記本体容器の前記上方開口部に向かって上方に傾斜する上方傾斜部を有しており、
前記トレーの前記嵌合部は、前記リブ部の前記上方傾斜部を用いて形成される前記＜１＞に記載のペット用トイレ。
＜３＞  複数の前記リブ部が前後方向に直交する水平方向である幅方向に並設されている前記＜２＞記載のペット用トイレ。
＜４＞  前記リブ部が２個並設されている前記＜３＞記載のペット用トイレ。
＜５＞  前記本体容器は、平坦な底壁と、該底壁の全周縁から上方に立設する周壁とを有し、該周壁は、前後方向前方側の前方周壁、前後方向後方側の後方周壁、及び前後方向に沿う両側の側方周壁からなり、前記前方周壁及び前記後方周壁は、上方に向かって互いに離間するように傾斜しており、前記両側方周壁も、上方に向かって互いに離間するように傾斜している前記＜１＞〜＜４＞のいずれか１に記載のペット用トイレ。
＜６＞  鉛直方向に対する前記前方周壁の傾斜角度θ１は好ましくは１°以上、より好ましくは２°以上であり、好ましくは３０°以下、より好ましくは１０°以下である前記＜５＞記載のペット用トイレ。
＜７＞  前記本体容器は、平坦な底壁と、該底壁の全周縁から上方に立設する周壁とを有し、前記本体容器の前記底壁の上面に、上方に隆起する本体ストッパー部が設けられ、前記トレーは、平坦な底壁と、該底壁の全周縁から上方に立設する周壁とを有し、前記トレーの底壁の下面に、下方に隆起するトレーストッパー部が設けられている前記＜１＞〜＜６＞のいずれか１に記載のペット用トイレ。
＜８＞  前記トレーストッパー部は、前記本体ストッパー部よりも、前後方向後方に、２ｍｍ以上３ｍｍ以下離間して配されている前記＜７＞記載のペット用トイレ。
＜９＞  前記トレー内に尿吸収体が配されている前記＜１＞〜＜８＞のいずれか１に記載のペット用トイレ。
＜１０＞  前記本体容器内に前記上方開口部を介して着脱自在に装着される内容器を備えている前記＜１＞〜＜９＞のいずれか１に記載のペット用トイレ。
＜１１＞  前記内容器は板状の底壁を有し、該底壁には貫通孔が多数配されている前記＜１０＞記載のペット用トイレ。
＜１２＞  前記トレーは、前方側に上方に向かって凹んだ取っ手部を有し、
前記リブ部は、前記取っ手部に形成されている前記＜２＞〜＜１１＞記載のペット用トイレ。
＜１３＞  前記トレーの前記取っ手部は、該トレーの前方側の前方側壁の上端から外方に水平方向に延びる水平部と該水平部の前端から下方に凸を描いて該水平部の位置よりも上方まで延びる延出部とから構成され、
前記トレーの前記リブ部は、前後方向において、前記取っ手部の前記水平部及び前記延出部に亘って形成されている前記＜１２＞記載のペット用トイレ。
＜１４＞  鉛直方向に対する前記取っ手部の前記延出部における前後方向最前面の傾斜角度θ２は好ましくは１°以上、より好ましくは２°以上であり、好ましくは３０°以下、より好ましくは１０°以下である前記＜１３＞記載のペット用トイレ。
＜１５＞  前記本体容器は、前記前方開口部の前記上方開口端部が直線状に形成されており、前記トレーの前記リブ部は、上下方向において、前記水平部の位置と前記延出部の最上端の位置との間まで隆起し、前記トレーの前記嵌合部は、前記リブ部の前記上方傾斜部と前記取っ手部の前記延出部における該リブ部より上方に延出する延出部分とから形成されており、前記本体容器内に前記トレーを前記前方開口部を介して収容したときに、該前方開口部の直線状の前記上方開口端部が該トレーの前記上方傾斜部と前記延出部分との間に挟まれることにより嵌合する前記＜１３＞又は＜１４＞に記載のペット用トイレ。
＜１６＞  前記上方開口端部２２ｕの厚みは、１ｍｍ以上３ｍｍ以下である前記＜１５＞記載のペット用トイレ。
＜１７＞  前後方向の水平方向に対する前記上方傾斜部の傾斜角度θ３は好ましくは1°以上、より好ましくは１０°以上であり、好ましくは６０°以下、より好ましくは４５°以下である前記＜１５＞又は＜１６＞記載のペット用トイレ。
＜１８＞  前記本体容器は、前記前方開口部の前記上方開口端部に後方に向かって曲がった鉤部を有し、前記トレーの前記リブ部は、上下方向において、前記水平部の位置と前記延出部の最上端の位置との間まで隆起し、前記トレーの前記嵌合部は、前記リブ部の前記上方傾斜部と前記取っ手部の前記延出部における該リブ部より上方に延出する延出部分とから形成されており、前記本体容器内に前記トレーを前記前方開口部を介して収容したときに、該前方開口部の前記上方開口端部の前記鉤部が該トレーの前記上方傾斜部と前記延出部分との間に挟まれることにより嵌合する前記＜１３＞又は＜１４＞に記載のペット用トイレ。
＜１９＞  前記本体容器は、前記前方開口部の前記上方開口端部に後方に向かって延びるフランジ部と該フランジ部の下面から下方に突出する掛止部とを有し、前記トレーの前記リブ部は、上下方向において、前記延出部の最上端の位置または前記水平部の位置と前記延出部の最上端の位置との間まで隆起し、該リブ部の上端に、該延出部から延出して下方に傾斜する下方傾斜部と、該下方傾斜部の後端から延出する前記上方傾斜部を有しており、前記トレーの前記嵌合部は、前記リブ部の前記下方傾斜部と前記上方傾斜部とで形成されており、前記本体容器内に前記トレーを前記前方開口部を介して収容したときに、該前方開口部の前記上方開口端部の前記掛止部が該トレーの前記下方傾斜部と前記上方傾斜部との間に挟まれることにより嵌合する前記＜１３＞又は＜１４＞に記載のペット用トイレ。
＜２０＞  前記トレーの前記リブ部は、上下方向において、前記延出部の最上端の位置まで隆起し、前記下方傾斜部は、前記延出部の最上端から下方に傾斜する前記＜１９＞記載のペット用トイレ。
＜２１＞  前記フランジ部は、前記前方開口部の前記上方開口端部に対応する部分から前後方向後方に２ｍｍ以上３０ｍｍ以下延出して形成されている前記＜１９＞又は＜２０＞に記載のペット用トイレ。
＜２２＞  複数の前記掛止部が前後方向に直交する水平方向である幅方向に並設されている前記＜１９＞〜＜２１＞のいずれか１に記載のペット用トイレ。
＜２３＞  前記掛止部を２個有している前記＜２２＞記載のペット用トイレ。
＜２４＞  １個の前記掛止部が前後方向に直交する水平方向である幅方向に延在して設けられている前記＜１９＞〜＜２１＞のいずれか１に記載のペット用トイレ。
＜２５＞  前記前方開口部を形成する前方周壁と前記フランジ部とのなす角度θ４は  好ましくは９１°以上、より好ましくは９２°以上であり、好ましくは１２０°以下、より好ましくは１００°以下である前記＜１９＞〜＜２４＞のいずれか１に記載のペット用トイレ。
＜２６＞  前後方向の水平方向に対する前記下方傾斜部の傾斜角度θ５は好ましくは  １°以上、より好ましくは１０°以上であり、好ましくは６０°以下、より好ましくは４５°以下である前記＜１９＞〜＜２５＞のいずれか１に記載のペット用トイレ。
＜２７＞  前後方向の水平方向に対する前記上方傾斜部の傾斜角度θ６は好ましくは１°以上、より好ましくは１０°以上であり、好ましくは６０°以下、より好ましくは４５°以下である前記＜１９＞〜＜２６＞のいずれか１に記載のペット用トイレ。
＜２８＞  前記本体容器は、前記前方開口部の前記上方開口端部に後方に向かって上方に傾斜して延びるフランジ部を有し、前記トレーの前記リブ部は、上下方向において、前記延出部の最上端の位置または前記水平部の位置と前記延出部の最上端の位置との間まで隆起し、該リブ部の上端に、該延出部から延出する前記上方傾斜部を有しており、
前記トレーの前記嵌合部は、前記リブ部の前記上方傾斜部で形成されており、
前記本体容器内に前記トレーを前記前方開口部を介して収容したときに、該前方開口部の前記上方開口端部の前記フランジ部の下面が該トレーの前記上方傾斜部に接触することにより嵌合する前記＜１３＞又は＜１４＞に記載のペット用トイレ。
＜２９＞  前記トレーの前記リブ部は、上下方向において、前記延出部の最上端の位置まで隆起し、前記上方傾斜部は、前記延出部の最上端から上方に傾斜する前記＜２８＞記載のペット用トイレ。
＜３０＞  前記フランジ部は、前記前方開口部の前記上方開口端部に対応する部分から前後方向後方に２ｍｍ以上、３０ｍｍ以下延出して形成されている前記＜２８＞又は＜２９＞に記載のペット用トイレ。
＜３１＞  前後方向の水平方向に対するフランジ部２７の傾斜角度θ７は、好ましくは１°以上より好ましくは１０°以上であり、好ましくは４５°以下、より好ましくは２０°以下である前記＜２８＞〜＜３０＞のいずれか１に記載のペット用トイレ。
＜３２＞  前後方向の水平方向に対する前記上方傾斜部の傾斜角度θ８は、好ましくは１°以上より好ましくは１０°以上であり、好ましくは４５°以下、より好ましくは２０°以下である前記＜２８＞〜＜３１＞のいずれか１に記載のペット用トイレ。
【符号の説明】
【００５７】
１Ａ，１Ｂ，１Ｃ，１Ｄ  ペット用トイレ
２  本体容器
２１  上方開口部
２２  前方開口部
２２ｕ  上方開口端部
２３  底壁
２４  周壁
２４ａ  前方周壁、２４ｂ  後方周壁、２４ｃ  側方周壁
２５  本体ストッパー部
２６  鉤部
２７  フランジ部
２８  掛止部
３  トレー
３１  取っ手部
３１ｈ  水平部
３１ｅ  延出部
３１ｅ１  延出部の最上端
３１ｅ２  延出部におけるリブ部より上方に延出する延出部分
３２  嵌合部
３３  底壁
３４  周壁
３４ａ  前方周壁、３４ｂ  後方周壁、３４ｃ  側方周壁
３４ａ１  前方周壁の幅方向中央部分
３４ａ２  前方周壁の中央部分より幅方向外方部分
３５  トレーストッパー部
３６  リブ部
３６ｕ  上方傾斜部
３６ｄ  下方傾斜部
３６ｄ１  第１下方傾斜部
３６ｄ２  第２下方傾斜部
４  内容器
４１  透過領域
４２  貫通孔
４３  底壁
４４  周壁
【図１】
2014226106.tif 000003
【図２】
2014226106.tif 000004
【図３】
2014226106.tif 000005
【図４】
2014226106.tif 000006
【図５】
2014226106.tif 000007
【図６】
2014226106.tif 000008
【図７】
2014226106.tif 000009
【図８】
2014226106.tif 000010